(57)【要約】【課題】  記録媒体の感光記録部が湾曲して変形していても、その内部に記録されるホログラム記録部が前記変形の影響を受けないホログラム記録方法および前記記録媒体を用いたホログラム読取り方法を提供する。【解決手段】  記録媒体１は枠体２に形成された基準溝４ａ，４ｂを、記録装置２０の位置決め球３３，３４で位置決めする。このとき、記録媒体１の感光記録部３を拘束せず、感光記録部３は湾曲した状態を維持している。マスター記録体１０の上で記録媒体１を高精度に位置決めし、マスター記録体１０と記録媒体１に対して参照光４０が与えられ、記録媒体１の感光記録部３内にホログラム記録部１５ａ，１５ｂ，１５ｃ，・・・が形成される。このとき、感光記録部３の変形に影響を受けることなく、前記ホログラム記録部１５ａ，１５ｂ，１５ｃ，・・・は、基準平面Ｈａ−Ｈａと平行な面内に配置されて記録される。【選択図】図３
2010002431.tif 000002
【特許請求の範囲】
【請求項１】
記録媒体の内部にホログラムを記録するホログラム記録方法において、
前記記録媒体は枠体の内側に感光記録部を有し、前記枠体に位置決め用の基準部が設けられており、
内部に光の回折を生じさせるデータが記録されたマスター記録体を用い、前記枠体を前記基準部を介して位置決めして、前記感光記録部を拘束することなく、前記記録媒体を前記マスター記録体に重ね、
前記マスター記録体と前記感光記録部の双方に参照光を所定の入射角で照射し、前記マスター記録体内のデータ記録部で回折された回折光と前記参照光とを前記感光記録部内で干渉させて、前記感光記録部の内部における前記基準部からの位置が予め決められた領域に、ホログラムを記録することを特徴とするホログラム記録方法。
【請求項２】
前記感光記録部の変形に拘わらず、前記感光記録部内における前記基準部からの位置が予め決められた領域に、前記ホログラムを記録する請求項１記載のホログラム記録方法。
【請求項３】
内部に光の回折を生じさせるデータが記録されたマスター記録体が設置された機器本体に、枠体の内側に感光記録部を有する記録媒体が装着されるホログラム記録装置において、
前記枠体では、互いに平行に延びる一対の側端面のそれぞれに、前記側端面の長手方向に延びる基準溝が互いに平行に形成され、前記機器本体には、両側に離れた位置のそれぞれに一対の位置決め球が設けられて、
前記基準溝を前記位置決め球に嵌合して前記記録媒体を機器本体内に装着すると、前記記録媒体が前記マスター記録体に重ねられて位置決めされ、
前記マスター記録体と前記感光記録部の双方に、所定の入射角で参照光を与える発光手段が設けられていることを特徴とするホログラム記録装置。
【請求項４】
記録媒体の内部に記録されたホログラムのデータを読取るホログラム読取り方法において、
前記記録媒体は、枠体の内側に感光記録部を有し、前記枠体に位置決め用の基準部が設けられ、前記感光記録部内には、前記基準部からの位置が予め決められた領域に、ホログラムが記録されており、
前記枠体を前記基準部を介して位置決めして、前記感光記録部を拘束せずに前記記録媒体を設置し、前記基準部からの位置が予め決められているヘッドを用い、このヘッドから前記感光記録部内に参照光を照射し、前記ホログラムで回折された読取り光を、前記ヘッド内に設けられた検出素子で検出することを特徴とするホログラム読取り方法。
【請求項５】
前記感光記録部の変形に拘わらず、前記感光記録部内において、前記基準部からの位置が予め決められた領域に前記ホログラムが記録された記録媒体を使用する請求項４記載のホログラム読取り方法。
【請求項６】
枠体の内側に感光記録部を有する記録媒体が装着され、前記記録媒体に対向するヘッドが設けられたホログラム読取り装置において、
前記枠体では、互いに平行に延びる一対の側端面のそれぞれに、前記側端面の長手方向に延びる基準溝が互いに平行に形成され、前記機器本体には、両側に離れた位置のそれぞれに一対の位置決め球が設けられており、
前記基準溝を前記位置決め球に嵌合させて前記記録媒体を機器本体内に装着すると、前記記録媒体が機器本体内の所定位置に位置決めされ、
前記ヘッドが、前記位置決め球に対して予め決められた領域で移動自在に設けられていることを特徴とするホログラム読取り装置。
【発明の詳細な説明】
【技術分野】
【０００１】
本発明は、感光記録部を有する記録媒体にホログラムを書き込むホログラム記録方法、および記録媒体に記録されているホログラムからデータを読み出すホログラム読取り方法に関し、さらに、ホログラム記録装置およびホログラム読取装置に関する。
【背景技術】
【０００２】
記録媒体にデータをホログラムで記録する方法として、以下の特許文献１などに記載のように、マスター記録体に記録されているデータを記録媒体に複写する手法が知られている。
【０００３】
この手法は、これからホログラムを記録しようとする記録媒体を、マスター記録体に重ね、マスター記録体と記録媒体の双方に参照光を与える。参照光は、マスター記録体の内部のデータ記録部で回折され、その回折光が記録媒体に与えられる。記録媒体の内部では、前記回折光と前記参照光とが干渉し、その干渉縞がホログラムとして、前記記録媒体内に記録される。
【特許文献１】特開２００６−１８８６４号公報
【発明の開示】
【発明が解決しようとする課題】
【０００４】
マスター記録体を使用して記録媒体にホログラムを記録する際には、記録媒体をマスター記録体の表面に密着させて重ねた状態で、マスター記録体と記録媒体に参照光を与えているのが一般的である。
【０００５】
しかし、記録媒体は、２枚の透明基板の間に感光材料が挟まれた構造であるため、平坦度を保つのが困難であり、湾曲して変形していることが多く、またその変形状態や変形量は、記録媒体ごとに相違する。変形している記録媒体をマスター記録体の表面に密着させて、記録媒体を平坦にした状態で、この記録媒体とマスター記録体に参照光を与えて記録媒体の内部にホログラムを記録すると、その後に、記録媒体をマスター記録体から離したときに、記録媒体が元の湾曲状態に復元する。このとき、記録媒体の内部のホログラム記録領域も、記録媒体に伴なって湾曲変形する。
【０００６】
このようにホログラムを記録した後に変形した記録媒体を使用して、データを読取ると、記録媒体の表面に沿って移動するヘッドと記録媒体内のホログラムとの距離が、場所によって相違する。そのため、記録媒体に記録されたホログラムをヘッドにより高精度に読取ることが困難になる。
【０００７】
本発明は、上記従来の課題を解決するものであり、変形しやすい記録媒体を使用した場合であっても、記録媒体の内部に、基準部からの相対位置を高精度に設定されたホログラムを記録できるホログラム記録方法およびホログラム記録装置を提供することを目的としている。
【０００８】
また本発明は、変形しやすい記録媒体を使用した場合であっても、記録媒体内のホログラムを、高精度に読取り可能なホログラム読取り方法およびホログラム読取り装置を提供することを目的としている。
【課題を解決するための手段】
【０００９】
本発明は、記録媒体の内部にホログラムを記録するホログラム記録方法において、
前記記録媒体は枠体の内側に感光記録部を有し、前記枠体に位置決め用の基準部が設けられており、
内部に光の回折を生じさせるデータが記録されたマスター記録体を用い、前記枠体を前記基準部を介して位置決めして、前記感光記録部を拘束することなく、前記記録媒体を前記マスター記録体に重ね、
前記マスター記録体と前記感光記録部の双方に参照光を所定の入射角で照射し、前記マスター記録体内のデータ記録部で回折された回折光と前記参照光とを前記感光記録部内で干渉させて、前記感光記録部の内部における前記基準部からの位置が予め決められた領域に、ホログラムを記録することを特徴とするものである。
【００１０】
すなわち、本発明は、前記感光記録部の変形に拘わらず、前記感光記録部内における前記基準部からの位置が予め決められた領域に、前記ホログラムを記録するものである。
【００１１】
さらに、本発明は、内部に光の回折を生じさせるデータが記録されたマスター記録体が設置された機器本体に、枠体の内側に感光記録部を有する記録媒体が装着されるホログラム記録装置において、
前記枠体では、互いに平行に延びる一対の側端面のそれぞれに、前記側端面の長手方向に延びる基準溝が互いに平行に形成され、前記機器本体には、両側に離れた位置のそれぞれに一対の位置決め球が設けられて、
前記基準溝を前記位置決め球に嵌合して前記記録媒体を機器本体内に装着すると、前記記録媒体が前記マスター記録体に重ねられて位置決めされ、
前記マスター記録体と前記感光記録部の双方に、所定の入射角で参照光を与える発光手段が設けられていることを特徴とするものである。
【００１２】
本発明のホログラム記録方法およびホログラム記録装置では、枠体に形成された基準部を位置決め基準として記録媒体を設置し、感光記録部を拘束しない状態で、感光記録部とマスター記録体に参照光を与えて、感光記録部の内部にホログラムを記録している。よって、感光記録部が変形していたとしても、この感光記録部の内部において、基準部からの相対位置が決められた位置にホログラムを記録できる。また、ホログラムを読取るときは、前記基準部を位置決め基準とし、前記基準部からの相対位置が高精度に決められたヘッドを用いることで、感光記録部の内部に記録されたホログラムを高精度に読取ることができる。
【００１３】
すなわち、本発明は、記録媒体の内部に記録されたホログラムのデータを読取るホログラム読取り方法において、
前記記録媒体は、枠体の内側に感光記録部を有し、前記枠体に位置決め用の基準部が設けられ、前記感光記録部内には、前記基準部からの位置が予め決められた領域に、ホログラムが記録されており、
前記枠体を前記基準部を介して位置決めして、前記感光記録部を拘束せずに前記記録媒体を設置し、前記基準部からの位置が予め決められているヘッドを用い、このヘッドから前記感光記録部内に参照光を照射し、前記ホログラムで回折された読取り光を、前記ヘッド内に設けられた検出素子で検出することを特徴とするものである。
【００１４】
また本発明は、上記ホログラム読取り方法において、前記感光記録部の変形に拘わらず、前記感光記録部内において、前記基準部からの位置が予め決められた領域に前記ホログラムが記録された記録媒体を使用する。
【００１５】
さらに、本発明は、枠体の内側に感光記録部を有する記録媒体が装着され、前記記録媒体に対向するヘッドが設けられたホログラム読取り装置において、
前記枠体では、互いに平行に延びる一対の側端面のそれぞれに、前記側端面の長手方向に延びる基準溝が互いに平行に形成され、前記機器本体には、両側に離れた位置のそれぞれに一対の位置決め球が設けられており、
前記基準溝を前記位置決め球に嵌合させて前記記録媒体を機器本体内に装着すると、前記記録媒体が機器本体内の所定位置に位置決めされ、
前記ヘッドが、前記位置決め球に対して予め決められた領域で移動自在に設けられていることを特徴とするものである。
【発明の効果】
【００１６】
本発明のホログラム記録方法およびホログラム記録装置では、感光記録部が湾曲変形している記録媒体を使用しても、この感光記録部内において基準部からの相対位置が決められた領域にホログラムを記録することができる。
【００１７】
また、本発明のホログラム読取り方法およびホログラム読取り装置は、前記のように湾曲変形した感光記録部に記録されたホログラムを、常に高精度に読取ることができる。
【発明を実施するための最良の形態】
【００１８】
図１は本発明の実施の形態のホログラム記録方法およびホログラム読取り方法に使用される記録媒体と、その位置決め手段を示す斜視図、図２は前記記録媒体を示す図１のＩＩ−ＩＩ線での断面図である。図３はホログラム記録方法およびホログラム記録装置を示す説明図、図４はホログラム読取り方法およびホログラム読取り装置を示す説明図である。図５は、ホログラム読取装置に設けられたヘッドによるホログラムの読取り原理を示す説明図である。
【００１９】
図１と図２に示す記録媒体１は、枠体２と感光記録部３とを有している。前記枠体２は、平面で見た形状が長方形または正方形であり、高剛性の合成樹脂材料や軽金属材料などで形成されている。枠体２は、外力によりほとんど変形できない強度を有している。
【００２０】
枠体２は、前辺部２ａと後辺部２ｂおよび右側辺部２ｃと左側辺部２ｄを有している。図２に示すように、右側辺部２ｃの側端面には、基準部として機能する基準溝４ａが、左側辺部２ｄの側端面には、基準部として機能する基準溝４ｂが形成されている。それぞれの基準溝４ａ，４ｂは、右側辺部２ｃと左側辺部２ｄの全長にわたってＹ方向に向けて直線状に形成されている。左右両側の基準溝４ａと基準溝４ｂは互いに平行である。図２には、枠体２の厚み寸法の半分の位置にあり且つ枠体２の表面と平行な平面である第１の基準平面Ｈａ−Ｈａが示されている。この第１の基準平面Ｈａ−Ｈａは、それぞれの基準溝４ａ，４ｂの上下の開孔幅の中心を通過している。
【００２１】
前記基準溝４ａは、上傾斜面４ａ１と下傾斜面４ａ２を有し、前記基準溝４ｂは、上傾斜面４ｂ１と下傾斜面４ｂ２を有している。基準溝４ａの上傾斜面４ａ１と下傾斜面４ａ２は、前記第１の基準平面Ｈａ−Ｈａを挟んで位置しており、第１の基準平面Ｈａ−Ｈａと上傾斜面４ａ１との間隔と、第１の基準平面Ｈａ−Ｈａと下傾斜面４ａ２との間隔とは同じである。また、上傾斜面４ａ１と下傾斜面４ａ２は、枠体２の外に向けて対向角度が開くように形成され、基準溝４ａはＶ溝構造である。また基準溝４ｂの上傾斜面４ｂ１と下傾斜面４ｂ２との関係も上記と同じである。
【００２２】
枠体２の内部は、上下に貫通する四角形状の開口部２ｅであり、前記感光記録部３は、前記開口部２ｅ内に位置し、感光記録部３の４辺はそれぞれ枠体２に固定されている。感光記録部３には、厚み方向へ間隔を開けて透明板５ａ，５ｂが間隔を開けて設けられており、透明板５ａと透明板５ｂとの間に、感光材料層６が設けられている。透明板５ａ，５ｂは透明な樹脂板または透明な樹脂フィルムであり、感光材料層６は、感光性のゼラチンやフォトポリマーなどである。
【００２３】
次に、前記記録媒体１の感光材料層６内にホログラムを記録するホログラム記録方法およびホログラム記録装置を説明する。
【００２４】
記録媒体１へホログラムを記録するには、図３に示すマスター記録体１０が使用される。
【００２５】
マスター記録体１０は、枠体１１の内側に感光記録部１２が設けられたもので、その基本的構造は記録媒体１と同じである。ただし、マスター記録体１０は、記録媒体１に比べて形状や寸法が安定したものであり、枠体１１および感光記録部１２が共に変形しずらく、枠体１１と感光記録部１２の厚み寸法や外径寸法が高精度に設定されている。図３では、マスター記録体１０の枠体１１を厚さ方向に二分する平面を第２の基準平面Ｈｂ−Ｈｂとして示している。
【００２６】
マスター記録体１０の感光記録部１２の内部には、複数のデータ記録部１３ａ，１３ｂ，１３ｃ，１３ｄ，・・・が形成されている。これらデータ記録部では、屈折率の相違する部分が、干渉縞として、感光記録部１２の厚み方向へ積層された状態となっている。さらに、個々のデータ記録部１３ａ，１３ｂ，１３ｃ，１３ｄ，・・・では、複数のデータが角度多重で重ね書きされている。
【００２７】
マスター記録体１０の感光記録部１２には、次の方法でデータ記録部１３ａ，１３ｂ，１３ｃ，１３ｄ，・・・が記録される。図示しないマスター記録装置に、マスター記録体１０が位置決めされて設置されると、マスター記録体１０に対して一方の側から、所定の入射角度θ１で所定の波長λの記録用参照光が与えられるとともに、マスター記録体１０に対して他方の側から、「１（明）」「０（暗）」が平面的にパターン化されたデータを含む物体光が与えられて、マスター記録体１０の感光記録部１２の内部で、記録用参照光と物体光とが干渉する。この干渉の結果、感光記録部１２内に、屈折率の相違する部分が層状に形成される。
【００２８】
前記マスター記録装置において、前記記録用参照光の入射角θ１を変化させるとともに、異なるデータを包含する物体光を照射することにより、データ記録部１３ａ，１３ｂ，１３ｃ，１３ｄ，・・・に、異なるページデータが重複して記載される。それぞれのデータ記録部１３ａ，１３ｂ，１３ｃ，１３ｄ，・・・は、データブックであり、それぞれのデータブック内に、前記ページデータが角度多重で記録されているものとなる。
【００２９】
このようにデータ記録部１３ａ，１３ｂ，１３ｃ，１３ｄ，・・・が形成されているマスター記録体１０を用い、図３に示すホログラム記録装置２０を使用して記録媒体１へのホログラムを記録する。
【００３０】
この記録方法では、ホログラム記録装置２０の機器本体内に、前記マスター記録体１０が高精度に位置決めされて設置される。
【００３１】
また、ホログラム記録装置２０の機器本体内には、記録媒体１を位置決めして設置するための位置決め手段が設けられている。図１に示すように、この位置決め手段は、基準側となる固定支持部材３１と、この固定支持部材３１にＸ方向で対向する付勢支持部材３２とを有している。
【００３２】
前記固定支持部材３１は記録装置２０内で位置決めされて固定されている。前記付勢支持部材３２は、Ｙ方向とＺ方向へ実質的に動くことがなく、Ｘ方向へのみ少し移動できるように支持されている。付勢支持部材３２には、固定支持部材３１に接近する方向へ向く付勢力Ｆ，Ｆが作用している。この付勢力Ｆ，Ｆは、付勢支持部材３２を押圧する板ばねまたはコイルばねなどで発揮される。
【００３３】
固定支持部材３１には、前後方向（Ｙ方向）に間隔を開けて一対の位置決め球３３，３３が設けられている。位置決め球３３，３３は、Ｙ方向およびＺ方向へ移動することなく、固定支持部材３１に自転自在に支持されている。付勢支持部材３２にも、同様に一対の位置決め球３４，３４が設けられている。この位置決め球３４，３４も、Ｙ方向およびＺ方向へ移動することなく、付勢支持部材３２に自転自在に支持されている。
【００３４】
固定支持部材３１に支持されている前記位置決め球３３，３３と、付勢支持部材３２に支持されている前記位置決め球３４，３４は、共にその球の中心が、Ｚ方向での同じ高さ位置に配置されている。また、前記位置決め球３３，３３と前記位置決め球３４，３４は、Ｙ方向での同じ位置にあり、Ｘ方向で互いに対向している。
【００３５】
図３に示すように、ホログラム記録装置２０では、前記マスター記録体１０と記録媒体１とが重ねられる。このホログラム記録装置２０の機器本体では、マスター記録体１０と、前記位置決め手段を構成する固定支持部材３１および付勢支持部材３２との相対位置が高精度に決められており、特に、マスター記録体１０と、それぞれの位置決め球３３，３３および位置決め球３４，３４とのＺ方向での相対位置が高精度に決められている。
【００３６】
図１に示すように、記録媒体１が、記録装置２０に対してＹ方向へ向けて挿入されると、位置決め球３３，３３が、記録媒体１の一方の基準溝４ａに嵌合し、位置決め球３４，３４が、他方の基準溝４ｂに嵌合する。このとき、付勢力Ｆ，Ｆが作用している付勢支持部材３２と固定支持部材３１との間で、記録媒体１が挟持されるが、位置決め球３３，３３および位置決め球３４，３４が自転するため、記録媒体１を図１に示す矢印方向へスムースに装着することができる。
【００３７】
図３に示すように、位置決め球３３，３３は、記録媒体１の基準溝４ａの上傾斜面４ａ１と下傾斜面４ａ２に圧接し、位置決め球３４，３４は、基準溝４ｂの上傾斜面４ｂ１と下傾斜面４ｂ２に圧接する。その結果、記録媒体１がＺ方向へがたつくことなく位置決めされる。位置決め球３３，３３および位置決め球３４，３４と、マスター記録体１０との相対位置が高精度に決められているため、記録媒体１が装着されて、マスター記録体１０と記録媒体１とが重ねられると、マスター記録体１０を厚み方向へ二分している第２の基準平面Ｈｂ−Ｈｂと、記録媒体１を厚み方向に二分している第１の基準平面Ｈａ−Ｈａとが互いに平行となる。また、第２の基準平面Ｈｂ−Ｈｂと第１の基準平面Ｈａ−ＨａとのＺ方向での間隔寸法が高精度に決められる。
【００３８】
図３に示すように、記録媒体１の枠体２が前記位置決め球３３，３３および位置決め球３４，３４で位置決めされた状態で、記録媒体１の感光記録部３は、Ｚ方向へ何ら拘束されない。したがって、記録媒体１の感光記録部３が湾曲変形しており、例えば感光記録部３がマスター記録体１０に向けて凸状に変形していたとしても、この感光記録部３がマスター記録体１０に密着することがない。このように、枠体２が位置決めされた状態で、感光記録部３が拘束されないようにするためには、図３に示すように、記録媒体１が位置決めされたときに、マスター記録体１０の枠体１１と、記録媒体１の枠体２とがＺ方向へ少し離れていることが好ましい。
【００３９】
図３に示すように、マスター記録体１０と記録媒体１とが重ねられた状態で、ホログラム記録装置２０に設けられた発光手段から記録用の参照光４０が照射される。この参照光４０は、マスター記録体１０の感光記録部１２および記録媒体１の感光記録部３の双方の広い範囲に照射される大径の平行光束である。参照光４０の入射角は、マスター記録体１０の感光記録部１２にデータ記録部１３ａ，１３ｂ，１３ｃ，１３ｄ，・・・を記録したときの前記記録用参照光の入射角と同じ角度θ１に設定される。また参照光４０の波長は、マスター記録体１０の感光記録部１２にデータ記録部１３ａ，１３ｂ，１３ｃ，１３ｄ，・・・を記録したときの前記記録用参照光と同じ波長τに設定される。
【００４０】
波長τの前記参照光４０が入射角θ１で、マスター記録体１０の感光記録部１２に与えられると、この参照光４０がデータ記録部１３ａ，１３ｂ，１３ｃ，１３ｄ，・・・内のいずれかのページデータの干渉縞で回折されて、回折光４１が出射する。図３ではこの回折光４１の出射角度をθ２で示している。
【００４１】
前記回折光４１は、データ記録部１３ａ，１３ｂ，１３ｃ，１３ｄ，・・・内のいずれかのページデータ内の「１」「０」のデータを反映したものである。回折光４１は、ブラッグ回折条件に基づくものであり、データ記録部を記録するときの記録用参照光と同じ波長τの参照光４０を、前記記録用参照光と同じ入射角θ１で入射させると、強い強度の回折光４１が得られる。ブラック回折条件では、参照光４０の入射角θ１と回折光４１の出射角θ２とが互いに等しい。
【００４２】
記録媒体１の感光記録部３内では、マスター記録体１０内のデータ記録部１３ａ，１３ｂ，１３ｃ，１３ｄ，・・・で回折されたいずれかのページデータに対応する回折光４１と、前記参照光４０とが干渉し、記録媒体１の感光記録部３内に、屈折率の相違する干渉縞が積層されたホログラムが記録される。このときのホログラム記録部を符号１５ａ，１５ｂ，１５ｃ，１５ｄ，・・・で示している。
【００４３】
また、参照光４０の入射角度θ１を可変させることにより、データ記録部１３ａ，１３ｂ，１３ｃ，１３ｄ，・・・において、角度多重で記録されたそれぞれのページデータごとに回折された回折光４１が得られる。よって、前記参照光４０の入射角度θ１を変化させることにより、データ記録部１３ａ，１３ｂ，１３ｃ，１３ｄ，・・・から、異なるページデータを得て、ホログラム記録部１５ａ，１５ｂ，１５ｃ，１５ｄ，・・・に、異なるページデータのホログラムを角度多重で記録することができる。
【００４４】
図３に示すホログラム記録方法では、回折光４１と参照光４０とが干渉してホログラムとなる干渉縞が現れる領域が、マスター記録体１０にデータ記録部１３ａ，１３ｂ，１３ｃ，１３ｄ，・・・を記録するときの物体光に依存する。すなわち、マスター記録装置において、マスター記録体１０にデータ記録部１３ａ，１３ｂ，１３ｃ，１３ｄ，・・・を記録する際に、「１」「０」のデータを平面的にパターン化した情報フィルターをマスター記録体１０に対向させて、この情報フィルターを通過させた光を前記物体光としてマスター記録体１０に与えている。図３に示すホログラム記録方法では、前記情報フィルターを配置した位置とほぼ同じ位置、または情報フィルターを配置した位置と対称位置において、回折光４１と参照光４０とによる干渉縞が現れる。
【００４５】
図３では、前記干渉縞が、記録媒体１の感光記録部３の内部に現れるように設定されており、前記干渉縞に基づいて、屈折率の相違する部分が層状に形成された領域が、前記ホログラム記録部１５ａ，１５ｂ，１５ｃ，１５ｄ，・・・である。
【００４６】
図３に示すホログラム記録方法では、マスター記録体１０が、高精度に位置決めされ、このマスター記録体１０内では、データ記録部１３ａ，１３ｂ，１３ｃ，１３ｄ，・・・が、第２の基準平面Ｈｂ−Ｈｂと平行な面内に配置されて形成されている。そのため、記録媒体１に記録される前記ホログラム記録部１５ａ，１５ｂ，１５ｃ，１５ｄ，・・・は、データ記録部１３ａ，１３ｂ，１３ｃ，１３ｄ，・・・からＺ方向へ所定距離だけ離れた位置で、第１の基準平面Ｈａ−Ｈａと平行な面内に形成される。
【００４７】
記録媒体１は、枠体２が位置決め球３３，３３および位置決め球３４，３４で位置決めされているが、感光記録部３は拘束されていない。そのため、記録媒体１の感光記録部３が湾曲して変形している場合であっても、この変形に拘わりなく、ホログラム記録部１５ａ，１５ｂ，１５ｃ，１５ｄ，・・・は、第１の基準平面Ｈａ−Ｈａと平行な平面内に配列して記録される。
【００４８】
図４は、図３に示す記録方法でホログラムが記録された記録媒体１を用いてデータを読取るホログラム読取り装置５０およびホログラム読取り方法を示している。
【００４９】
ホログラム読取り装置５０は、機器本体の枠体５１に一対の位置決め手段が設けられている。この位置決め手段は、Ｘ方向に間隔を開けて対向し、且つＹ方向に平行に延びる固定支持部材５３と付勢支持部材５４を有している。固定支持部材５３と付勢支持部材５４は、図１と図３に示したホログラム記録装置２０に設けられた固定支持部材３１および付勢支持部材３２と同じものである。ホログラム読取り装置５０では、固定支持部材５３と付勢支持部材５４が、Ｚ方向の位置が高精度に決められて設けられている。固定支持部材５３は枠体５１に固定されており、付勢支持部材５４は、Ｚ方向へ動くことがなく、且つＸ方向へ少し動くことができるように支持されており、ばねにより固定支持部材５３に向けて付勢されている。
【００５０】
固定支持部材５３には一対の位置決め球５５，５５が自転自在に保持されており、付勢支持部材５４には、一対の位置決め球５６，５６が自転自在に保持されている。位置決め球５５，５５および位置決め球５６，５６は、図１に示した位置決め球３３，３３および位置決め球３４，３４と同じものである。位置決め球５５，５５および位置決め球５６，５６のそれぞれの中心は、同一平面上に位置している。
【００５１】
図４に示すように、枠体５１にはガイド部５８が設けられ、ヘッド６０がこのガイド部５８によってＸ方向に移動自在に支持されている。さらに、図示しない案内機構により、ガイド部５８がＹ方向へ移動自在に設けられており、その結果、ヘッド６０はＸ−Ｙ平面に沿って移動できるようになっている。また、ヘッド６０をＸ−Ｙ平面に沿って移動させるモータ駆動部も設けられている。前記ガイド部５８と、前記固定支持部材５３および付勢支持部材５４との相対位置が高精度に決められているため、第１の基準平面Ｈａ−Ｈａと、ヘッド６０とのＺ方向での位置は、ヘッド６０がどの位置へ移動しても高精度に維持できるようになっている。
【００５２】
図５は、前記ヘッド６０の内部構造の概略を示している。
ヘッド６０内には、発光手段である光源６１が設けられている。この光源６１はＶＣＳＥＬ（面発光レーザ）などの半導体レーザである。光源６１から発せられる拡散光は、コリメートレンズ６２で平行光束とされる。反射ミラー６３によって、前記平行光束が反射され、反射された参照光７１が記録媒体１の感光記録部３に照射される。ヘッド６０には前記反射ミラー６３の角度を変化させるアクチュエータが設けられており、このアクチュエータにより、参照光７１の感光記録部３への入射角度θ１が変化させられる。
【００５３】
前記参照光７１が、記録媒体１内のホログラム記録部１５ａ，１５ｂ，１５ｃ，１５ｄ，・・・のいずれかに照射されると、ホログラム記録部内に角度多重で記録されているいずれかのページデータによって回折された回折光７２が、出射角度θ２（＝θ１）で得られる。前記反射ミラー６３の角度を変化させて、参照光７１の入射角度θ１を変化させることにより、ホログラム記録部に角度多重で記録されている他のページデータに対応する回折光７２が得られる。ヘッド６０内では、前記回折光７２が絞り６５で絞られて選択され、ＣＭＯＳなどの撮像素子である検出素子６４で検知され、ページデータが読取られる。
【００５４】
図４に示すように、記録媒体１は、枠体２に形成された基準溝４ａが位置決め球５５，５５で保持され、基準溝４ｂが位置決め球５６，５６で保持されて位置決めされるが、感光記録部３が外力で拘束されることなく自由状態である。そのため、読取り装置５０に装填されたときの感光記録部３の変形状態は、図３に示す記録装置２０に装填されていたときと同じである。そのため、読取り装置５０内に装着されている記録媒体１では、感光記録部３が湾曲変形していることがあっても、ホログラム記録部１５ａ，１５ｂ，１５ｃ，１５ｄ，・・・は、第１の基準平面Ｈａ−Ｈａと平行な面内に位置し、この第１の基準平面Ｈａ−Ｈａは、枠体５１において位置決めされている。
【００５５】
よって、記録媒体１内のヘッド６０と、ホログラム記録部１５ａ，１５ｂ，１５ｃ，１５ｄ，・・・との距離を高精度に保つことができる。そのため、ヘッド６０の位置をＺ方向へ調整することなく、常にホログラムのデータを高精度に読取れるようになる。
【図面の簡単な説明】
【００５６】
【図１】記録媒体とその位置決め手段を示す斜視図、
【図２】記録媒体をＩＩ−ＩＩ線で切断した断面図、
【図３】ホログラム記録装置およびホログラム記録方法を示す説明図、
【図４】ホログラム読取り装置およびホログラム読取り方法を示す説明図、
【図５】ヘッドの内部構造を示す説明図、
【符号の説明】
【００５７】
１  記録媒体
２  枠体
３  感光記録部
４ａ，４ｂ  基準溝
５ａ，５ｂ  透明板
６  感光材料層
１０  マスター記録体
１１  枠体
１２  感光記録部
１３ａ，１３ｂ，・・・  データ記録部
１５ａ，１５ｂ，・・・  ホログラム記録部
２０  ホログラム記録装置
３１  固定支持部材
３２  付勢支持部材
３３，３４  位置決め球
４０  参照光
４１  回折光
５０  ホログラム読取り装置
５１  枠体
５３  固定支持部材
５４  付勢支持部材
５５，５６  位置決め球
６０  ヘッド
【図１】
2010002431.tif 000003
【図２】
2010002431.tif 000004
【図３】
2010002431.tif 000005
【図４】
2010002431.tif 000006
【図５】
2010002431.tif 000007